(57)【要約】【課題】建物内への間仕切りパネルの設置方法において、間仕切りパネルの寸法精度を上げるとともに、施工を容易に行う。【解決手段】建物内への間仕切りパネル５の設置方法において、建物躯体の躯体床１から上方に先行床２を前記躯体床１と平行離間して設ける一方で、仮想グリッド線２ｃが縦横かつ所定寸法毎にひかれ、かつ前記先行床２の床面と相似形である仮想床面（図示せず）を設定し、次に、前記先行床２と天井との間に、前記所定寸法の整数倍の幅を有する間仕切りパネル５を、前記仮想床面を前記先行床２の床面と等しい大きさに設定するとともにこれらを重ね合わせた際の、前記仮想グリッド線２ｃに沿わせて前記先行床２に設置する。【選択図】図１
2007191926.tif 000002
【特許請求の範囲】
【請求項１】
建物内への間仕切りパネルの設置方法において、
建物躯体の躯体床から上方に先行床を前記躯体床と平行離間して設ける一方で、
仮想グリッド線が縦横かつ所定寸法毎にひかれ、かつ前記先行床の床面と相似形である仮想床面を設定し、
次に、前記先行床と天井との間に、前記所定寸法の整数倍の幅を有する間仕切りパネルを、前記仮想床面を前記先行床の床面と等しい大きさに設定するとともにこれらを重ね合わせた際の、前記仮想グリッド線に沿わせて前記先行床に設置することを特徴とする間仕切りパネルの設置方法。
【請求項２】
前記躯体床に、前記仮想床面を前記先行床の床面と等しい大きさに設定するとともにこれらを重ね合わせた際の、前記仮想グリッド線同士の交点に支持脚を配置し、
前記先行床を、前記支持脚によって支持することを特徴とする請求項１に記載の間仕切りパネルの設置方法。
【請求項３】
前記躯体床と前記先行床との間に、前記仮想床面を前記先行床の床面と等しい大きさに設定するとともにこれらを重ね合わせた際の、前記仮想グリッド線同士の交点を通らないように配管を収納することを特徴とする請求項２に記載の間仕切りパネルの設置方法。
【請求項４】
前記先行床は、縦及び横の寸法が前記所定寸法の整数倍である床パネルを複数有し、
これら床パネルは、該床パネルの端部が前記支持脚上に位置した状態で、該支持脚によって支持されることを特徴とする請求項２又は３に記載の間仕切りパネルの設置方法。
【請求項５】
請求項１〜４のいずれか一項に記載の間仕切りパネルの設置方法によって設置される間仕切りパネルにおいて、
前記先行床に設けられ、上方に開口した下框凹部が前記仮想グリッド線の所定寸法毎に複数形成された下框と、
前記天井に設けられ、下方に開口した上框凹部が前記下框凹部に対向する位置に形成された上框と、
前記下框凹部と該下框凹部に対向する上框凹部とに上下両端部がそれぞれ固定された縦桟と、
前記上框及び下框、並びに縦桟の側面に貼着された壁下地材と、を備えることを特徴とする間仕切りパネル。
【発明の詳細な説明】
【技術分野】
【０００１】
本発明は、建物内、特に、鉄筋コンクリート造の集合住宅内への間仕切りパネルの設置方法、及びこの間仕切りパネルの設置方法によって設置される間仕切りパネルに関する。
【背景技術】
【０００２】
建物内に設けられる間仕切りの一例として、特許文献１に記載されたものが知られている。この間仕切りは、建物躯体の躯体床上に支持脚を介して先行床が架設されており、この先行床と天井面とに間仕切りの両端部が結合固定されたものである。これにより、躯体床と先行床との間に各種配管を収納することができるとともに、先行床上に配管が露出しないため、間仕切りを含めた全体の施工を容易に行うことができる。
【０００３】
ところで、近年、マンション等では、フリープランといわれる間仕切りの位置等の間取りを購入者が選択できる方式が行われている。このフリープランにおいては、上述した先行床を設置した後に、間仕切りの位置が決められて該間仕切りが設置され、リフォーム時には、間仕切りが撤去された後再び所望の位置に間仕切りが設置される。
【特許文献１】特開平８−４２０３０号公報
【発明の開示】
【発明が解決しようとする課題】
【０００４】
しかしながら、フリープランに使用される間仕切りはその寸法が規格化されていないことが多いため、購入者が間取りを選択した後に、現場において間仕切りを切断して該間仕切りを所定寸法に合わせる必要があり、施工が煩雑になる上に、間仕切りの寸法に誤差が生じる可能性があった。
【０００５】
本発明の課題は、建物内への間仕切りパネルの設置方法において、間仕切りパネルの寸法精度を上げるとともに、施工を容易に行うことである。
【課題を解決するための手段】
【０００６】
以上の課題を解決するため、請求項１に記載の発明は、例えば図１，２に示すように、
建物内への間仕切りパネル５の設置方法において、
建物躯体の躯体床１から上方に先行床２を前記躯体床１と平行離間して設ける一方で、
仮想グリッド線２ｃが縦横かつ所定寸法毎にひかれ、かつ前記先行床２の床面と相似形である仮想床面（図示せず）を設定し、
次に、前記先行床２と天井との間に、前記所定寸法の整数倍の幅を有する間仕切りパネル５を、前記仮想床面を前記先行床２の床面と等しい大きさに設定するとともにこれらを重ね合わせた際の、前記仮想グリッド線２ｃに沿わせて前記先行床２に設置することを特徴としている。
【０００７】
請求項１に記載の発明によれば、間仕切りパネル５の幅は仮想グリッド線２ｃの所定寸法の整数倍であるため、予め工場等で間仕切りパネル５を高精度に製作しておくことができる。従って、間仕切りパネル５の寸法精度を上げることができる。また、間仕切りパネル５は、仮想床面を先行床２の床面と等しい大きさに設定するとともにこれらを重ね合わせた際の仮想グリッド線２ｃに沿わせて先行床２に配置されるため、間仕切りパネル５の施工時及びリフォーム時に、間仕切りパネル５の位置決めが容易になるとともに、現場においては、配管等が躯体床１と先行床２との間に収納された状態で予め製作された間仕切りパネル５を所望の位置に設置するだけでよいため、施工を容易に行うことができる。
【０００８】
請求項２に記載の発明は、例えば図１，２に示すように、請求項１に記載の間仕切りパネル５の設置方法において、
前記躯体床１に、前記仮想床面を前記先行床２の床面と等しい大きさに設定するとともにこれらを重ね合わせた際の、前記仮想グリッド線２ｃ同士の交点に支持脚３を配置し、
前記先行床２を、前記支持脚３によって支持することを特徴としている。
【０００９】
請求項２に記載の発明によれば、支持脚３は、仮想床面を先行床２の床面と等しい大きさに設定するとともにこれらを重ね合わせた際の仮想グリッド線２ｃ同士の交点に配置されるため、先行床２を介して間仕切りパネル５の直下で該先行床２及び間仕切りパネル５を支持することになる。よって、間仕切りパネル５の荷重によって先行床２が撓むのを防ぐことができる。また、支持脚３の位置が変則的になるのを防ぐことができるため、先行床２の強度の偏りを解消することができる。
【００１０】
請求項３に記載の発明は、例えば図１，２に示すように、請求項２に記載の間仕切りパネル５の設置方法において、
前記躯体床１と前記先行床２との間に、前記仮想床面を前記先行床２の床面と等しい大きさに設定するとともにこれらを重ね合わせた際の、前記仮想グリッド線２ｃ同士の交点を通らないように配管４を収納することを特徴とする。
【００１１】
請求項３に記載の発明によれば、先行床２及び間仕切りパネル５を支える支持脚３は、仮想床面を先行床２の床面と等しい大きさに設定するとともにこれらを重ね合わせた際の仮想グリッド線２ｃ同士の交点に配置されるため、配管４を支持脚３に接触しないように配置することができる。
【００１２】
請求項４に記載の発明は、例えば図１，３，４に示すように、請求項２又は３に記載の間仕切りパネル５の設置方法において、
前記先行床２は、縦及び横の寸法が前記所定寸法の整数倍である床パネル２ａを複数有し、
これら床パネル２ａは、該床パネル２ａの端部が前記支持脚３上に位置した状態で、該支持脚３によって支持されることを特徴としている。
【００１３】
請求項４に記載の発明によれば、先行床２が有する床パネル２ａは、縦及び横の寸法が仮想グリッド線２ｃの所定寸法の整数倍であるため、予め工場等で製作しておくことができる。従って、現場においては、これらの床パネル２ａを支持脚３上に設けるだけでよいため、施工を容易に行うことができる。また、床パネル２ａの端部が支持脚３上に位置するため、先行床２上に載置される家具等の荷重によって床パネル２ａの端部が撓むのを防ぐことができるとともに、隣接する床パネル２ａ同士の境界線が仮想グリッド線２ｃの一部と対応するため、床パネル２ａの設置後に床パネル２ａの境界線に対する仮想グリッド線２ｃの相対的な位置を容易に知ることができる。
【００１４】
請求項５に記載の発明は、例えば図１，５に示すように、請求項１〜４のいずれか一項に記載の間仕切りパネル５ａの設置方法によって設置される間仕切りパネル５ａにおいて、
前記先行床２に設けられ、上方に開口した下框凹部６ｃが前記仮想グリッド線２ｃの所定寸法毎に複数形成された下框６と、
前記天井に設けられ、下方に開口した上框凹部７ｃが前記下框凹部６ｃに対向する位置に形成された上框７と、
前記下框凹部６ｃと該下框凹部６ｃに対向する上框凹部７ｃとに上下両端部がそれぞれ固定された縦桟８と、
前記上框７及び下框６、並びに縦桟８の側面に貼着された壁下地材５ｄ（図６参照）と、を備えることを特徴としている。
【００１５】
請求項５に記載の発明によれば、下框６を先行床２に設け、上框７を天井に設けた後、上框７の上框凹部７ｃ及び下框６の下框凹部６ｃに縦桟８の上下端部を固定し、上框７及び下框６並びに縦桟８の側面に壁下地材５ｄ（図６参照）を貼着すればよい。よって、間仕切りパネル５ａを容易に施工することができる。
【発明の効果】
【００１６】
本発明によれば、間仕切りパネルの寸法精度を上げることができる。また、間仕切りパネルの施工時及びリフォーム時に、間仕切りパネルの位置決めが容易になるとともに、施工を容易に行うことができる。
【発明を実施するための最良の形態】
【００１７】
以下、図を参照して本発明を実施するための最良の形態を詳細に説明する。
図１は、鉄筋コンクリート造建物の集合住宅の一居住空間Ｓを示す平面図である。この居住空間Ｓは、建物躯体の躯体床１に平行離間して設けられた先行床２と、天井との間に本発明にかかる間仕切りパネル５を有している。この間仕切りパネル５は、縦横にかつ所定寸法毎に仮想グリッド線２ｃが引かれた図示しない仮想床面を先行床２の床面と等しい大きさに設定するとともにこれらを重ね合わせた際の仮想グリッド線２ｃに沿って設置されており、間仕切りパネル５の幅はモデュールによって決められている。
なお、モデュールとは、建築のあらゆる部分を一定の大きさの倍数関係に整えようとするときの基準になる寸法をいい、本実施形態では仮想グリッド線２ｃの所定寸法、すなわち３０ｃｍとする。
また、図１，２，４（ａ）については、説明の便宜上、仮想床面に引かれた仮想グリッド線２ｃを実際の居住空間Ｓに重ね合わせて表示している。
【００１８】
図２に示すように、躯体床１は、鉄筋コンクリート造の建築躯体に設けられたスラブ床であり、鉄筋コンクリート造の外壁Ｗ１及び内壁Ｗ２によって囲まれた居住空間Ｓ内において、面一に形成されている。この躯体床１には、縦横にかつ所定寸法毎に仮想グリッド線２ｃが引かれた図示しない仮想床面を先行床２の床面と等しい大きさに設定するとともにこれらを重ね合わせた際の仮想グリッド線２ｃ同士の交点に支持脚３が設置されている。さらに詳しくは、支持脚３は、縦方向及び横方向に並んだ仮想グリッド線２ｃ同士の交点に１つおきに対応するようになっており、縦方向及び横方向に６０ｃｍ毎に設置されている。
【００１９】
図２，３に示すように、支持脚３は、躯体床１に当接する円板状の基部３ａと、この基部３ａから上方に延出する脚部３ｂと、この脚部３ｂの上端に設けられ、正方形板状の設置板３ｃと、を備えており、この設置板３ｃ上に、先行床２が設置されている。
なお、支持脚３の基部３ａには、躯体床１と接する部分にゴム等の防振部材を設けてもよい。これにより、支持脚３を介して伝わる音や振動を小さくすることができる。
【００２０】
図１，４に示すように、先行床２は、支持脚３上に設置された複数の床パネル２ａと、これら床パネル２ａ上に設置された床材２ｂと、を備えている。また、先行床２は躯体床１と平行になっている。
【００２１】
床パネル２ａは、例えば、縦が６０ｃｍ、横が１８０ｃｍの長方形板状となっている。これらの寸法は、モデュールのそれぞれ２倍、６倍である。また、床パネル２ａは、その端部が支持脚３の設置板３ｃ上に位置するように設置されている、すなわち、隣接する両床パネル２ａの端部同士が、支持脚３の設置板３ｃ上に位置している。
【００２２】
図１，２に示すように、水道管等の配管４は、仮想床面を先行床２の床面と等しい大きさに設定するとともにこれらを重ね合わせた際の仮想グリッド線２ｃ同士の交点と配管４とが重ならない位置に、躯体床１と先行床２との間に収納された状態で、パイプスペースＰからトイレや浴槽、洗面台等に連結されている。
【００２３】
図１，５に示すように、間仕切りパネル５は、仮想床面を先行床２の床面と等しい大きさに設定するとともにこれらを重ね合わせた際の仮想グリッド線２ｃに沿って複数設置されており、先行床２の上面、すなわち床材２ｂに設けられる下框６と、天井に設けられる上框７と、これら上框７及び下框６の間に固定される縦桟８，８ａ，８ｂと、上框７及び下框６、並びに縦桟８，８ａ，８ｂの側面に設けられる壁下地材５ｄ（図６参照）と、を備えている。
【００２４】
ここで、間仕切りパネル５の構成の一例として、居住空間Ｓ中央付近のキッチンと廊下とを仕切る間仕切りパネル５ａの構成について説明する。図５に示すように、この間仕切りパネル５ａの幅は、１５０ｃｍとなっている。この寸法は、モデュールの５倍である。
【００２５】
下框６は、先行床２に、仮想床面を先行床２の床面と等しい大きさに設定するとともにこれらを重ね合わせた際の仮想グリッド線２ｃに沿って設置されており、釘等の止着材によって固定されている。この下框６には、工場にて、その軸方向両端部にそれぞれ切欠６ａ，６ｂが設けられ、また、これら切欠６ａ，６ｂの間には、下框６より壁下地材５ｄ（図６参照）の厚み以上大きい幅の下框凹部６ｃが、上方に開口した状態でモデュールピッチに４つプレ加工されている。
【００２６】
上框７は、下框６の真上に、天井面に釘等の止着材によって固定されている。この上框７には、工場にて、その軸方向両端部にそれぞれ切欠７ａ，７ｂが設けられ、また、これら切欠７ａ，７ｂの間には、上框７より壁下地材５ｄ（図６参照）の厚み以上大きい幅の上框凹部７ｃが、下方に開口した状態でモデュールピッチに４つプレ加工されている。これら上框７の切欠７ａ，７ｂ及び上框凹部７ｃは、下框６の切欠６ａ，６ｂ及び下框凹部６ｃにそれぞれ対向した状態となっている。
【００２７】
上框７と下框６とには、施工現場にて適宜必要な長さで切断された縦桟８，８ａ，８ｂがそれぞれ固定されている。さらに詳しくは、縦桟８の上下端部が、上框凹部７ｃ及び下框凹部６ｃに１つおきにそれぞれ係合された状態で固定されている。また、縦桟８の略半分の幅を有する縦桟８ａの上下端部が、上框の切欠７ａ及び下框の切欠６ａにそれぞれ係合された状態で固定されており、縦桟８と同じ幅を有する縦桟８ｂは、上下端部にそれぞれ凸部８ｃを備えており、これらの凸部８ｃが上框７の切欠７ｂ及び下框６の切欠６ｂにそれぞれ係合された状態で固定されている。なお、これら上框７及び下框６、並びに縦桟８，８ａ，８ｂの厚さは、全て等しくなっており、これらの両側面に、壁下地材５ｄ（図６参照）がそれぞれ貼着されている。
【００２８】
また、図６（ａ）に示すように、間仕切りパネル５ａは、平面視において、縦桟８ａ側の端部で間仕切りパネル５ｂと直角に接合されている。さらに詳しくは、間仕切りパネル５ｂの縦桟８ｂの側面に、間仕切りパネル５ａの縦桟８ａの端面が接合され、これらの接合後に壁下地材５ｄ，５ｅが間仕切りパネル５ａ，５ｂの両側面に貼着されている。
なお、図６（ｂ）に示すように、間仕切りパネル５ａ，５ｂの接合部に間仕切りパネル５ｃが接合される場合、すなわち間仕切りパネル５ａ，５ｂ，５ｃが平面視においてＴ字状に接合される場合には、間仕切りパネル５ｂの縦桟８ｂの側面に、間仕切りパネル５ａの縦桟８ａの端面が接合されるとともに、間仕切りパネル５ｂの縦桟８ｂの端面に、間仕切りパネル５ｃの縦桟８ａの端面が接合され、これらの接合後に壁下地材５ｄ〜５ｆが間仕切りパネル５ａ〜５ｃの両側面に貼着される。
【００２９】
次に、以上のように構成される間仕切りパネル５の設置方法について説明する。
初めに、間取り設計を行う際に、平面視において縦横にモデュールピッチ、すなわち３０ｃｍ毎に仮想グリッド線２ｃが引かれた図示しない仮想床面を設定し、この仮想床面の仮想グリッド線２ｃを基にシステム的に間取り設計を行う。
【００３０】
次に、図２に示すように、スラブ床である建物躯体の躯体床１に、先行床２（図１参照）を支持する支持脚３を設置する。このとき、支持脚３は、仮想床面を先行床２の床面と等しい大きさに設定するとともにこれらを重ね合わせた際の仮想グリッド線２ｃ同士の交点に、縦方向及び横方向に１つおきに配置する。すなわち、支持脚３は、躯体床１に、縦方向及び横方向に６０ｃｍ毎に設置する。
【００３１】
次に、決定された間取りに従って、水道管等の各種配管４を設置する。これら配管４は、仮想床面を先行床２の床面と等しい大きさに設定するとともにこれらを重ね合わせた際の仮想グリッド線２ｃ同士の交点と配管４とが重ならない位置に配置する。
【００３２】
次に、図４に示すように、支持脚３の設置板３ｃ上に、床パネル２ａを設置する。これら床パネル２ａは、長手方向を全て同じ方向、すなわち横方向に合わせ、縦方向に隣接する床パネル２ａ同士をモデュールの偶数倍、例えば６０ｃｍずつ横方向にずらした状態で設置する。また、床パネル２ａの四隅は、支持脚３の設置板３ｃ上に位置するようにする。
【００３３】
次に、床パネル２ａ上に必要に応じて床材２ｂを設けた後、間仕切りパネル５を組み立てる。すなわち、決定された間取りに従って、下框６を、仮想床面を先行床２の床面と等しい大きさに設定するとともにこれらを重ね合わせた際の仮想グリッド線２ｃに沿わせて設置し、釘等の止着材で固定する。そして、上框７の真上の天井面に、上框７を釘等の止着材で固定する。なお、上框７には、工場にて予め所定位置に上框凹部７ｃ及び切欠７ａ，７ｂがプレ加工され、下框６には、下框凹部６ｃ及び切欠６ａ，６ｂがプレ加工されており、これらの上框凹部７ｃ及び下框凹部６ｃがそれぞれ対向するとともに、上框７の切欠７ａ，７ｂ及び下框６の切欠６ａ，６ｂがそれぞれ対向するようにする。
【００３４】
次に、所定の上框凹部７ｃ及び下框凹部６ｃに、縦桟８の上下端部をそれぞれ係合して固定し、上框の切欠７ａ及び下框の切欠６ａに、縦桟８ａの上下端部をそれぞれ係合して固定し、上框の切欠７ｂ及び下框の切欠６ｂに、縦桟８ｂの上下端部に形成された凸部８ｃをそれぞれ係合して固定する。そして、これら上框７及び下框６、並びに縦桟８，８ａ，８ｂの両側面に、壁下地材５ｄをそれぞれ貼着する。
【００３５】
なお、リフォームの際には、間仕切りパネル、床材等を撤去した後、適宜床パネル２ａを取り外し、新しい間取りに従って配管４を配置し直す。その後、上述した間仕切りパネルの設置方法と同様に、床パネル２ａ及び床材２ｂを設置した後、間取りに従って間仕切りパネル５を組み立てる。
【００３６】
以上の実施形態によれば、間仕切りパネル５の幅は仮想グリッド線２ｃの所定寸法の整数倍であるため、予め工場等で間仕切りパネル５を高精度に製作しておくことができる。従って、間仕切りパネル５の寸法精度を上げることができる。また、間仕切りパネル５は、仮想床面を先行床２の床面と等しい大きさに設定するとともにこれらを重ね合わせた際の仮想グリッド線２ｃに沿わせて先行床２に配置されるため、間仕切りパネル５の施工時及びリフォーム時に、間仕切りパネル５の位置決めが容易になるとともに、現場においては、配管等が躯体床１と先行床２との間に収納された状態で予め製作された間仕切りパネル５を所望の位置に設置するだけでよいため、施工を容易に行うことができる。
【００３７】
また、支持脚３は、仮想床面を先行床２の床面と等しい大きさに設定するとともにこれらを重ね合わせた際の仮想グリッド線２ｃ同士の交点に配置されるため、先行床２を介して間仕切りパネル５の直下で該先行床２及び間仕切りパネル５を支持することになる。よって、間仕切りパネル５の荷重によって先行床２が撓むのを防ぐことができる。また、支持脚３の位置が変則的になるのを防ぐことができるため、先行床２の強度の偏りを解消することができる。
【００３８】
さらに、先行床２及び間仕切りパネル５を支える支持脚３は、仮想床面を先行床２の床面と等しい大きさに設定するとともにこれらを重ね合わせた際の仮想グリッド線２ｃ同士の交点に配置されるため、配管４を支持脚３に接触しないように配置することができる。
【００３９】
また、先行床２が有する床パネル２ａは、縦及び横の寸法が仮想グリッド線２ｃの所定寸法の整数倍であるため、予め工場等で製作しておくことができる。従って、現場においては、これらの床パネル２ａを支持脚３上に設けるだけでよいため、施工を容易に行うことができる。また、床パネル２ａの端部が支持脚３上に位置するため、先行床２上に載置される家具等の荷重によって床パネル２ａの端部が撓むのを防ぐことができるとともに、隣接する床パネル２ａ同士の境界線が仮想グリッド線２ｃの一部と対応するため、床パネル２ａの設置後に床パネル２ａの境界線に対する仮想グリッド線２ｃの相対的な位置を容易に知ることができる。
【００４０】
さらに、下框６を先行床２に設け、上框７を天井に設けた後、上框７の上框凹部７ｃ及び下框６の下框凹部６ｃに縦桟８の上下端部を固定し、上框７及び下框６並びに縦桟８の側面に壁下地材５ｄを貼着すればよい。よって、間仕切りパネル５ａを容易に施工することができる。
【００４１】
なお、以上の実施形態においては、仮想グリッド線２ｃの所定寸法を３０ｃｍとしたが、本発明はこれに限定されるものではない。なお、仮想グリッド線２ｃの所定寸法を変更すると、間仕切りパネル５の幅、支持脚３の設置の間隔、床パネル２ａの縦及び横の寸法がそれぞれ変更される。
【図面の簡単な説明】
【００４２】
【図１】本発明に係る間仕切りパネルを有する建物の居住空間に、仮想グリッド線を重ね合わせた平面図である。
【図２】建物の居住空間の躯体床に支持脚及び配管を設置した状態の平面図である。
【図３】支持脚に支持された床パネルを示す斜視図である。
【図４】建物の居住空間を示すもので、（ａ）は仮想グリッド線及び支持脚を破線で示した床の平面図、（ｂ）は床パネルを設置した状態の床の平面図である。
【図５】間仕切りパネルの構成を示すもので、（ａ）は組立前の正面図、（ｂ）は組立後の正面図である。
【図６】間仕切りパネル同士の接合部分を示すもので、（ａ）は間仕切りパネルを直角に接合した状態の平面図、（ｂ）は間仕切りパネルを平面視Ｔ字状に接合した状態の平面図である。
【符号の説明】
【００４３】
Ｐ  パイプスペース
Ｓ  居住空間
Ｗ１  外壁
Ｗ２  内壁
１  躯体床
２  先行床
２ａ  床パネル
２ｂ  床材
２ｃ  仮想グリッド線
３  支持脚
３ａ  基部
３ｂ  脚部
３ｃ  設置板
４  配管
５  間仕切りパネル
５ａ〜５ｃ  間仕切りパネル
５ｄ〜５ｆ  壁下地材
６  下框
６ａ，６ｂ  切欠
６ｃ  下框凹部
７  上框
７ａ，７ｂ  切欠
７ｃ  上框凹部
８，８ａ，８ｂ  縦桟
８ｃ  凸部
【図１】
2007191926.tif 000003
【図２】
2007191926.tif 000004
【図３】
2007191926.tif 000005
【図４】
2007191926.tif 000006
【図５】
2007191926.tif 000007
【図６】
2007191926.tif 000008